(57)【要約】  本発明は制御方法、ノード及びコンピュータ記憶媒体を開示し、前記方法は、ユーザー装置（ＵＥ）に対するデータベアラを確立するとき、命令情報を第２ノードに送信し、前記命令情報が前記第２ノードの前記ＵＥに対するデータ複製機能の制御を開始又は停止することを含む。
2020533828.tif 000002
【特許請求の範囲】
【請求項１】
制御方法であって、
第１ノードに適用され、
ユーザー装置（ＵＥ）に対するデータベアラを確立するとき、命令情報を第２ノードに送信し、前記命令情報が前記第２ノードの前記ＵＥに対するデータ複製機能の制御を開始又は停止することを含む制御方法。
【請求項２】
命令情報を第２ノードに送信した後、前記方法は、更に、
前記ＵＥが前記第２ノード又は第１ノードから送信された制御情報に基づいてデータ複製機能のアクティベート又はデアクティベート制御を行うことを示すことを含むアクティベート又はデアクティベート制御情報を前記ＵＥに送信することを含む請求項１に記載の方法。
【請求項３】
ユーザー装置（ＵＥ）に対するデータベアラを確立するとき、第２ノードへ命令情報を送信することは、
第２ノードが前記ＵＥに対してデータ複製機能のアクティベート又はデアクティベート制御を行うことを示すための第１種類の命令情報を前記第２ノードに送信し、
又は、
第２ノードが前記ＵＥに対してデータ複製機能のアクティベート又はデアクティベート制御を行わないことを示すための第２種類の命令情報を前記第２ノードに送信することを含む請求項１に記載の方法。
【請求項４】
前記ＵＥへアクティベート又はデアクティベート制御情報を送信することは、
第２ノードへ送信した前記ＵＥに対する命令情報が第１種類の命令情報である場合、前記ＵＥが第２ノードから送信された制御情報に基づいてデータ複製機能のアクティベート又はデアクティベート制御を行うことを示すための第１種類のアクティベート又はデアクティベート制御情報を前記ＵＥに送信することと、
第２ノードへ送信した前記ＵＥに対する命令情報が第２種類の命令情報である場合、前記ＵＥが前記第１ノードから送信された制御情報に基づいてデータ複製機能のアクティベート又はデアクティベート制御を行うことを示すための第２種類のアクティベート又はデアクティベート制御情報を前記ＵＥに送信することと、を含む請求項３に記載の方法。
【請求項５】
前記ＵＥへ第２種類のアクティベート又はデアクティベート制御情報を送信した後、前記方法は、更に、
前記ＵＥへデータ複製機能のアクティベート又はデアクティベート制御情報を送信することを含む請求項４に記載の方法。
【請求項６】
制御方法であって、
第２ノードに適用され、
ユーザー装置（ＵＥ）に対するデータベアラを確立するとき、第１ノードから送信された、前記第２ノードの前記ＵＥに対するデータ複製機能の制御を開始又は停止するための命令情報を受信することを含む制御方法。
【請求項７】
前記方法は、更に、
前記第１ノードから送信された命令情報が第１種類の命令情報である場合、前記第１種類の命令情報が、第２ノードが前記ＵＥに対してデータ複製機能のアクティベート又はデアクティベート制御を行うことを示すことに用いられることと、
前記ＵＥが第２ノードの制御情報に基づいてデータ複製機能のアクティベート又はデアクティベート制御を行うことを示すための第１種類のアクティベート又はデアクティベート制御情報を前記ＵＥに送信することと、を含む請求項６に記載の方法。
【請求項８】
前記方法は、更に、
前記第１ノードから送信された命令情報が第２種類の命令情報である場合、前記第２種類の指示情報が、第２ノードが前記ＵＥに対してデータ複製機能のアクティベート又はデアクティベート制御を行わないことを示すことに用いられることと、
前記ＵＥが第１ノードの制御情報に基づいてデータ複製機能のアクティベート又はデアクティベート制御を行うことを示すための第２種類のアクティベート又はデアクティベート制御情報を前記ＵＥに送信することと、を含む請求項６に記載の方法。
【請求項９】
前記ＵＥへ第１種類のアクティベート又はデアクティベート制御情報を送信した後、前記方法は、更に、
前記ＵＥへデータ複製機能のアクティベート又はデアクティベート制御情報を送信することを含む請求項７に記載の方法。
【請求項１０】
第１ノードであって、
ユーザー装置（ＵＥ）に対するデータベアラを確立するとき、命令情報を第２ノードに送信し、前記命令情報が前記第２ノードの前記ＵＥに対するデータ複製機能の制御を開始又は停止する第１通信ユニットを備える第１ノード。
【請求項１１】
前記第１ノードは、更に、
前記ＵＥが前記第２ノード又は第１ノードから送信された制御情報に基づいてデータ複製機能のアクティベート又はデアクティベート制御を行うことを示すことを含むアクティベート又はデアクティベート制御情報を前記ＵＥに送信する第２通信ユニットを備える請求項１０に記載の第１ノード。
【請求項１２】
前記第１通信ユニットは、第２ノードが前記ＵＥに対してデータ複製機能のアクティベート又はデアクティベート制御を行うことを示すための第１種類の命令情報を前記第２ノードに送信し、
又は、
第２ノードが前記ＵＥに対してデータ複製機能のアクティベート又はデアクティベート制御を行わないことを示すための第２種類の命令情報を前記第２ノードに送信する請求項１０に記載の第１ノード。
【請求項１３】
第２通信ユニットは、第２ノードへ送信した前記ＵＥに対する命令情報が第１種類の命令情報である場合、前記ＵＥが第２ノードから送信された制御情報に基づいてデータ複製機能のアクティベート又はデアクティベート制御を行うことを示すための第１種類のアクティベート又はデアクティベート制御情報を前記ＵＥに送信し、
第２ノードへ送信した前記ＵＥに対する命令情報が第２種類の命令情報である場合、前記ＵＥが前記第１ノードから送信された制御情報に基づいてデータ複製機能のアクティベート又はデアクティベート制御を行うことを示すための第２種類のアクティベート又はデアクティベート制御情報を前記ＵＥに送信する請求項１１に記載の第１ノード。
【請求項１４】
前記第２通信ユニットは、前記ＵＥへデータ複製機能のアクティベート又はデアクティベート制御情報を送信する請求項１３に記載の第１ノード。
【請求項１５】
第２ノードであって、
ユーザー装置（ＵＥ）に対するデータベアラを確立するとき、第１ノードから送信された、前記第２ノードの前記ＵＥに対するデータ複製機能の制御を開始又は停止するための命令情報を受信する受信ユニットを備える第２ノード。
【請求項１６】
前記第２ノードは、更に、
前記第１ノードから送信された命令情報が第１種類の命令情報である場合、前記第１種類の命令情報が、第２ノードが前記ＵＥに対してデータ複製機能のアクティベート又はデアクティベート制御を行うことを示すことに用いられ、前記ＵＥが第２ノードの制御情報に基づいてデータ複製機能のアクティベート又はデアクティベート制御を行うことを示すための第１種類のアクティベート又はデアクティベート制御情報を前記ＵＥに送信する情報送信ユニットを備える請求項１５に記載の第２ノード。
【請求項１７】
前記第２ノードは、更に、
前記第１ノードから送信された命令情報が第２種類の命令情報である場合、前記第２種類の指示情報が、第２ノードが前記ＵＥに対してデータ複製機能のアクティベート又はデアクティベート制御を行わないことを示すことに用いられ、前記ＵＥが第１ノードの制御情報に基づいてデータ複製機能のアクティベート又はデアクティベート制御を行うことを示すための第２種類のアクティベート又はデアクティベート制御情報を前記ＵＥに送信する情報送信ユニットを備える請求項１５に記載の第２ノード。
【請求項１８】
前記情報送信ユニットは前記ＵＥへデータ複製機能のアクティベート又はデアクティベート制御情報を送信する請求項１６に記載の第２ノード。
【請求項１９】
コンピュータ記憶媒体であって、
コンピュータ実行可能命令が記憶され、前記コンピュータ実行可能命令が実行されるとき、請求項１〜５のいずれか１項に記載の方法ステップを実現するコンピュータ記憶媒体。
【請求項２０】
コンピュータ記憶媒体であって、
コンピュータ実行可能命令が記憶され、前記コンピュータ実行可能命令が実行されるとき、請求項６〜９のいずれか１項に記載の方法ステップを実現するコンピュータ記憶媒体。
【発明の詳細な説明】
【技術分野】
【０００１】
本発明はテレマティクス技術分野に関し、特に制御方法、ノード及びコンピュータ記憶媒体に関する。
【背景技術】
【０００２】
小型セルラーの汎用及び対応する非理想的バックホールのニーズは二重接続技術、すなわち、１つの端末が１つのマクロ基地局及び１つの小型セルラー基地局に同時に接続されるキャリアアグリゲーション方式を促進し、二重接続技術において、データ複製伝送方式が分割ベアラ（ｓｐｌｉｔ  ｂｅａｒｅｒ）のプロトコルアーキテクチャを用いる。
【０００３】
現在、データ複製伝送機能を設定した無線ベアラはＭＡＣ制御要素（ＣＥ：Ｃｏｎｔｒｏｌ  Ｅｌｅｍｅｎｔ）によってベアラのデータ複製伝送機能を動的にアクティベート（ａｃｔｉｖａｔｅ）又はデアクティベート（ｄｅ−ａｃｔｉｖａｔｅ）することができる。二重接続の場合、マスタセルグループ（ＭＣＧ）及びセカンダリセルグループ（ＳＣＧ）はそれぞれＭＡＣ  ＣＥを送信することにより端末におけるいずれか１つのｓｐｌｉｔ  ｂｅａｒｅｒのデータ複製機能をアクティベート又はデアクティベートすることができる。しかしながら、二重接続シーンにおいて、マスタノード（ｍａｓｔｅｒ  ｎｏｄｅ）（例えば、ＭＣＧにおけるノード）及びスレーブノード（ｓｌａｖｅ  ｎｏｄｅ）（例えば、ＳＣＧにおけるノード）はいずれもＭＡＣ  ＣＥを送信することができるため、ネットワークノード同士が協調する必要がある。
【発明の概要】
【発明が解決しようとする課題】
【０００４】
上記技術的問題を解決するために、本発明の実施例は制御方法、ノード及びコンピュータ記憶媒体を提供する。
【課題を解決するための手段】
【０００５】
本発明の実施例に係る制御方法は、第１ノードに適用され、
ユーザー装置（ＵＥ）に対するデータベアラを確立するとき、命令情報を第２ノードに送信し、前記命令情報が前記第２ノードの前記ＵＥに対するデータ複製機能の制御を開始又は停止することを含む。
【０００６】
本発明の実施例に係る制御方法は、第２ノードに適用され、
ユーザー装置（ＵＥ）に対するデータベアラを確立するとき、第１ノードから送信された、前記第２ノードの前記ＵＥに対するデータ複製機能の制御を開始又は停止するための命令情報を受信することを含む。
【０００７】
本発明の実施例に係る第１ノードは、
ユーザー装置（ＵＥ）に対するデータベアラを確立するとき、命令情報を第２ノードに送信し、前記命令情報が前記第２ノードの前記ＵＥに対するデータ複製機能の制御を開始又は停止する第１通信ユニットを備える。
【０００８】
本発明の実施例に係る第２ノードは、
ユーザー装置（ＵＥ）に対するデータベアラを確立するとき、第１ノードから送信された、前記第２ノードの前記ＵＥに対するデータ複製機能の制御を開始又は停止するための命令情報を受信する受信ユニットを備える。
【０００９】
本発明の実施例に係るコンピュータ記憶媒体にはコンピュータ実行可能命令が記憶され、前記コンピュータ実行可能命令が実行されるとき、本発明の実施例のデータスケジューリング方法を実現する。
【発明の効果】
【００１０】
本発明の実施例の技術案において、第１ノードが前記第２ノードの前記ＵＥに対するデータ複製機能の制御を開始又は停止し、更にＵＥが第１ノード又は第２ノードの制御によってデータ複製機能の制御を行うように指示する。これにより、ＵＥ側が二重接続シーンにおいて第２ノード及び第１ノードの制御情報を受信してデータ複製機能を制御するという問題を回避し、第２ノードと第１ノードとの間で予め協調することができ、それによりネットワーク構造における各ノードの協調性及び処理効率を向上させる。
【図面の簡単な説明】
【００１１】
【図１】図１は本発明の実施例の制御方法のフローチャート１である。
【図２】図２は本発明の実施例の制御方法のフローチャート２である。
【図３】図３は本発明の実施例の制御方法のフローチャート３である。
【図４】図４は本発明の実施例の制御方法のフローチャート４である。
【図５】図５は本発明の実施例の制御方法のフローチャート５である。
【図６】図６は本発明の実施例のアーキテクチャ模式図である。
【図７】図７は本発明の実施例の第１ノードの構成構造模式図である。
【図８】図８は本発明の実施例の第２ノードの構成構造模式図である。
【図９】図９は本発明の実施例のハードウェア構造図である。
【発明を実施するための形態】
【００１２】
本発明の実施例の特徴及び技術的内容をより詳しく理解するために、以下に図面を参照しながら本発明の実施例の実現を詳しく説明し、添付の図面は説明のためのものであって、本発明の実施例を制限するためのものではない。
【００１３】
実施例１
本願はノード協調方法を提供し、第１ノードに適用され、図１に示すように、
ユーザー装置（ＵＥ）に対するデータベアラを確立するとき、命令情報を第２ノードに送信し、前記命令情報が前記第２ノードの前記ＵＥに対するデータ複製機能の制御を開始又は停止するステップ１０１と、
前記ＵＥが前記第２ノード又は第１ノードの制御情報に基づいてデータ複製機能のアクティベート又はデアクティベート制御を行うことを示すアクティベート又はデアクティベート制御情報を前記ＵＥに送信するステップ１０２と、を含む。
【００１４】
なお、本実施例では、第２ノードはマスタセルグループにおける制御ノード（例えば、マスタノード）であってもよく、第１ノードはセカンダリセルグループにおける制御ノード（例えば、スレーブノード）であってもよく、又は、逆に、第１ノードはマスタノードであってもよく、第２ノードはスレーブノードであってもよく、ここで列挙しない。
【００１５】
上記制御情報がＭＡＣ制御要素ＣＥに含まれて送信されてもよく、ここで詳細な説明は省略する。
【００１６】
具体的には、ユーザー装置（ＵＥ）に対するデータベアラを確立するとき、第２ノードへ命令情報を送信することは、
第２ノードが前記ＵＥに対してデータ複製機能のアクティベート又はデアクティベート制御を行うことを示すための第１種類の命令情報を前記第２ノードに送信し、
又は、
第２ノードが前記ＵＥに対してデータ複製機能のアクティベート又はデアクティベート制御を行わないことを示すための第２種類の命令情報を前記第２ノードに送信することを含む。
【００１７】
すなわち、第１ノードは第２ノードがＵＥに対するデータ複製機能を開始するかどうかを制御する。それに対応して、前記ＵＥへアクティベート又はデアクティベート制御情報を送信することは、
第２ノードへ送信した前記ＵＥに対する命令情報が第１種類の命令情報である場合、前記ＵＥが第２ノードの制御情報（ＭＡＣ制御要素ＣＥ）に基づいてデータ複製機能のアクティベート又はデアクティベート制御を行うことを示すための第１種類のアクティベート又はデアクティベート制御情報を前記ＵＥに送信することと、
第２ノードへ送信した前記ＵＥに対する命令情報が第２種類の命令情報である場合、前記ＵＥが前記第１ノードの制御情報（ＭＡＣ制御要素ＣＥ）に基づいてデータ複製機能のアクティベート又はデアクティベート制御を行うことを示すための第２種類のアクティベート又はデアクティベート制御情報を前記ＵＥに送信することと、を含む。
【００１８】
第１種類の命令情報又は第２種類の命令情報によって、第２ノード又は第１ノードのＭＡＣ  ＣＥに基づいてデータ複製機能の制御を行うことをＵＥに通知する。
【００１９】
更に、なお、本実施例のステップ１０１におけるネットワークにユーザーのデータベアラを設定する前に、複数の処理過程で実施してもよく、例えば、１つのＳＣＧ  ｓｐｌｉｔ  ｂｅａｒｅｒを確立する際に本実施例に係る処理プロセスを実行してもよく、当然ながら、他の処理過程で操作してもよく、本実施例では列挙しない。
【００２０】
本実施例は以下の複数のシーンを提供することができ、以下のシーンは第１ノードをスレーブノード、第２ノードをマスタノードとする場合を例として説明するが、実際の処理では、第２ノードをスレーブノード、第１ノードをマスタノードとしてもよく、本実施例ではすべてのシーンを列挙しないと理解すべきである。
【００２１】
シーン１
図２に示すように、
ステップ２１では、ネットワークにユーザーのデータベアラを設定する前に、例えば１つのＳＣＧ  ｓｐｌｉｔ  ｂｅａｒｅｒを確立するとき、スレーブノードｓｌａｖｅ  ｎｏｄｅ（すなわち、上記第１ノード）はマスタノードｍａｓｔｅｒ  ｎｏｄｅ（すなわち、上記第２ノード）へ情報（すなわち、第１種類の指示情報）を送信し、ｍａｓｔｅｒ  ｎｏｄｅがＭＡＣ  ＣＥを送信してデータ複製の制御を行うことを示すことができる。
ステップ２２では、マスタノードはアクティベート又はデアクティベート制御情報（ここで、第１種類のアクティベート又はデアクティベート制御情報であってもよい）をユーザー装置に送信し、マスタノードｍａｓｔｅｒ  ｎｏｄｅから送信されたＭＡＣ  ＣＥに基づいてデータ複製機能のアクティベート又はデアクティベート制御を行うことをＵＥに通知する。
【００２２】
更に、ステップ２２を完了した後、更にマスタノードはＵＥがデータ機能のアクティベート又はデアクティベートの制御を行うように制御してもよく、具体的な処理方式については、ここで詳細な説明は省略する。
【００２３】
シーン２
図３に示すように、
ステップ３１では、ネットワークにユーザーのデータベアラを設定する前に、例えば１つのＳＣＧ  ｓｐｌｉｔ  ｂｅａｒｅｒを確立するとき、スレーブノードｓｌａｖｅ  ｎｏｄｅはマスタノードｍａｓｔｅｒ  ｎｏｄｅへ情報（すなわち、第１種類の指示情報）を送信し、前記マスタノードがＭＡＣ  ＣＥを送信してデータ複製の制御を行うことを示すことができる。
ステップ３２では、スレーブノードは制御情報（ここで、第１種類のアクティベート又はデアクティベート制御情報であってもよい）をユーザー装置に送信し、マスタノードｍａｓｔｅｒ  ｎｏｄｅから送信されたＭＡＣ  ＣＥに基づいてデータ複製機能のアクティベート又はデアクティベート制御を行うことをＵＥに通知する。
【００２４】
更に、ステップ３２を完了した後、更にマスタノードはＵＥがデータ機能のアクティベート又はデアクティベートの制御を行うように制御しもよく、具体的な処理方式については、ここで詳細な説明は省略する。
【００２５】
シーン３
図４に示すように、
ステップ４１では、ネットワークにユーザーのデータベアラを設定する前に、例えば１つのＳＣＧ  ｓｐｌｉｔ  ｂｅａｒｅｒを確立するとき、スレーブノードｓｌａｖｅ  ｎｏｄｅはマスタノードｍａｓｔｅｒ  ｎｏｄｅへ情報（すなわち、第２種類の指示情報）を送信し、前記マスタノードがＭＡＣ  ＣＥを送信してデータ複製の制御を行う必要がないことを示すことができる。
ステップ４２では、スレーブノードは制御情報（ここで、第２種類のアクティベート又はデアクティベート制御情報であってもよい）をユーザー装置に送信し、スレーブノードから送信されたＭＡＣ  ＣＥに基づいてデータ複製機能のアクティベート又はデアクティベート制御を行うことをＵＥに通知する。
【００２６】
更に、ステップ４２を完了した後、更にスレーブノードはＵＥがデータ機能のアクティベート又はデアクティベートの制御を行うように制御しもよく、具体的な処理方式については、ここで詳細な説明は省略する。
【００２７】
シーン４
図５に示すように、
ステップ５１では、ネットワークにユーザーのデータベアラを設定する前に、例えば１つのＳＣＧ  ｓｐｌｉｔ  ｂｅａｒｅｒを確立するとき、スレーブノードｓｌａｖｅ  ｎｏｄｅはマスタノードｍａｓｔｅｒ  ｎｏｄｅへ情報（すなわち、第２種類の指示情報）を送信し、前記マスタノードがＭＡＣ  ＣＥを送信してデータ複製の制御を行う必要がないことを示すことができる。
ステップ５２では、マスタノードは制御情報（ここで、第２種類のアクティベート又はデアクティベート制御情報であってもよい）をユーザー装置に送信し、スレーブノードから送信されたＭＡＣ  ＣＥに基づいてデータ複製機能のアクティベート又はデアクティベート制御を行うことをＵＥに通知する。
【００２８】
更に、ステップ５２を完了した後、更に第１ノードはＵＥがデータ機能のアクティベート又はデアクティベートの制御を行うように制御しもよく、具体的な処理方式については、ここで詳細な説明は省略する。
【００２９】
最後に、本実施例に説明されるデータ複製機能のアーキテクチャ全体についての説明は図６を参照してもよく、データ複製伝送方式はアップリンク／ダウンリンクに対して、パケットデータ収束プロトコル（ＰＤＣＰ：Ｐａｃｋｅｔ  Ｄａｔａ  Ｃｏｎｖｅｒｇｅｎｃｅ  Ｐｒｏｔｏｃｏｌ）層があるセルグループ（ＣＧ：Ｃｅｌｌ  Ｇｒｏｕｐ）に位置し、セルグループがマスタセルグループ（ＭＣＧ：Ｍａｓｔｅｒ  Ｃｅｌｌ  Ｇｒｏｕｐ）、セカンダリセルグループ（ＳＣＧ：Ｓｅｃｏｎｄａｒｙ  Ｃｅｌｌ  Ｇｒｏｕｐ）を含んでもよい。ＰＤＣＰはＰＤＣＰ  プロトコルデータユニット（ＰＤＵ：Ｐｒｏｔｏｃｏｌ  Ｄａｔａ  Ｕｎｉｔ）を同じ２つに複製し、２つのＰＤＣＰが異なるＣＧのＲＬＣ、ＭＡＣ、無線インターフェースを介して端末（ダウンリンク）又は基地局（アップリンク）に対応するＭＡＣ、ＲＬＣ層に到達し、最後にＰＤＣＰに収束し、ＰＤＣＰ層は２つのＰＤＣＰが同じ複製バージョンであると監視した場合、一方を廃棄するが、他方を高位層に提出する。
【００３０】
以上によれば、上記解決手段を用いることにより、第１ノードが前記第２ノードの前記ＵＥに対するデータ複製機能の制御を開始又は停止し、更にＵＥが第１ノード又は第２ノードの制御によってデータ複製機能の制御を行うように指示することができる。これにより、ＵＥ側が二重接続シーンにおいて第２ノード及び第１ノードの制御情報を受信してデータ複製機能を制御するという問題を回避し、第２ノードと第１ノードとの間で予め協調することができ、それによりネットワーク構造における各ノードの協調性及び処理効率を向上させる。
【００３１】
実施例２
本願はノード協調方法を提供し、第２ノードに適用され、
ユーザー装置（ＵＥ）に対するデータベアラを確立するとき、第１ノードから送信された、前記第２ノードの前記ＵＥに対するデータ複製機能の制御を開始又は停止するための命令情報を受信することを含む。
【００３２】
上記実施例の第２ノード及び第１ノードの定義と同様であり、ここで詳細な説明は省略する。
【００３３】
命令情報を受信した後、前記方法は更に以下のいくつかの処理方式を含む。
【００３４】
方式１
前記第１ノードから送信された命令情報が第１種類の命令情報である場合、前記第１種類の命令情報は第２ノードが前記ＵＥに対してデータ複製機能のアクティベート又はデアクティベート制御を行うことを示すことに用いられ、
前記ＵＥが第２ノードの制御情報（具体的にＭＡＣ制御要素ＣＥであってもよい）に基づいてデータ複製機能のアクティベート又はデアクティベート制御を行うことを示すための第１種類のアクティベート又はデアクティベート制御情報を前記ＵＥに送信する。
【００３５】
方式２
前記第１ノードから送信された命令情報が第２種類の命令情報である場合、前記第２種類の指示情報は第２ノードが前記ＵＥに対してデータ複製機能のアクティベート又はデアクティベート制御を行わないことを示すことに用いられ、
前記ＵＥが第１ノードの制御情報（具体的にＭＡＣ制御要素ＣＥであってもよい）に基づいてデータ複製機能のアクティベート又はデアクティベート制御を行うことを示すための第２種類のアクティベート又はデアクティベート制御情報を前記ＵＥに送信する。
【００３６】
前記ＵＥへ第１種類のアクティベート又はデアクティベート制御情報を送信した後、前記方法は、更に、
ＭＡＣ  ＣＥによって前記ＵＥへデータ複製機能のアクティベート又はデアクティベート制御情報を送信することを含む。すなわち、第２ノードがＵＥのデータ複製機能を制御すると決定した後、ＵＥへデータ複製機能に対するアクティベート又はデアクティベートの具体的な制御情報を送信することができる。
【００３７】
更に、なお、本実施例におけるネットワークにユーザーのデータベアラを設定する前に、複数の処理過程で実施してもよく、例えば、１つのＳＣＧ  ｓｐｌｉｔ  ｂｅａｒｅｒを確立する際に本実施例に係る処理プロセスを実行してもよく、当然ながら、他の処理過程で操作してもよく、本実施例では列挙しない。
【００３８】
本実施例は以下の複数のシーンを提供することができ、以下のシーンは第１ノードをスレーブノード、第２ノードをマスタノードとする場合を例として説明するが、実際の処理では、第２ノードをスレーブノード、第１ノードをマスタノードとしてもよく、本実施例ではすべてのシーンを列挙しないと理解すべきである。
【００３９】
シーン１
図２に示すように、
ステップ２１では、ネットワークにユーザーのデータベアラを設定する前に、例えば１つのＳＣＧ  ｓｐｌｉｔ  ｂｅａｒｅｒを確立するとき、スレーブノードｓｌａｖｅ  ｎｏｄｅはマスタノードｍａｓｔｅｒ  ｎｏｄｅへ情報（すなわち、第１種類の指示情報）を送信し、前記マスタノードがＭＡＣ  ＣＥを送信してデータ複製の制御を行うことを示すことができる。
ステップ２２では、マスタノードは制御情報（ここで、第１種類のアクティベート又はデアクティベート制御情報であってもよい）をユーザー装置に送信し、マスタノードｍａｓｔｅｒ  ｎｏｄｅから送信されたＭＡＣ  ＣＥに基づいてデータ複製機能のアクティベート又はデアクティベート制御を行うことをＵＥに通知する。
【００４０】
更に、ステップ２２を完了した後、更にマスタノードはＵＥがデータ機能のアクティベート又はデアクティベートの制御を行うように制御してもよく、具体的な処理方式については、ここで詳細な説明は省略する。
【００４１】
シーン２
図３に示すように、
ステップ３１では、ネットワークにユーザーのデータベアラを設定する前に、例えば１つのＳＣＧ  ｓｐｌｉｔ  ｂｅａｒｅｒを確立するとき、スレーブノードｓｌａｖｅ  ｎｏｄｅはマスタノードｍａｓｔｅｒ  ｎｏｄｅへ情報（すなわち、第１種類の指示情報）を送信し、前記マスタノードがＭＡＣ  ＣＥを送信してデータ複製の制御を行うことを示すことができる。
ステップ３２では、スレーブノードが制御情報（ここで、第１種類のアクティベート又はデアクティベート制御情報であってもよい）をユーザー装置に送信し、マスタノードｍａｓｔｅｒ  ｎｏｄｅから送信されたＭＡＣ  ＣＥに基づいてデータ複製機能のアクティベート又はデアクティベート制御を行うことをＵＥに通知する。
【００４２】
更に、ステップ３２を完了した後、更にマスタノードはＵＥがデータ機能のアクティベート又はデアクティベートの制御を行うように制御しもよく、具体的な処理方式については、ここで詳細な説明は省略する。
【００４３】
シーン３
図４に示すように、
ステップ４１では、ネットワークにユーザーのデータベアラを設定する前に、例えば１つのＳＣＧ  ｓｐｌｉｔ  ｂｅａｒｅｒを確立するとき、スレーブノードｓｌａｖｅ  ｎｏｄｅはマスタノードｍａｓｔｅｒ  ｎｏｄｅへ情報（すなわち、第２種類の指示情報）を送信し、前記マスタノードがＭＡＣ  ＣＥを送信してデータ複製の制御を行う必要がないことを示すことができる。
ステップ４２では、スレーブノードが制御情報（ここで、第２種類のアクティベート又はデアクティベート制御情報であってもよい）をユーザー装置に送信し、スレーブノードから送信されたＭＡＣ  ＣＥに基づいてデータ複製機能のアクティベート又はデアクティベート制御を行うことをＵＥに通知する。
【００４４】
更に、ステップ４２を完了した後、更にスレーブノードはＵＥがデータ機能のアクティベート又はデアクティベートの制御を行うように制御しもよく、具体的な処理方式については、ここで詳細な説明は省略する。
【００４５】
シーン４
図５に示すように、
ステップ５１では、ネットワークにユーザーのデータベアラを設定する前に、例えば１つのＳＣＧ  ｓｐｌｉｔ  ｂｅａｒｅｒを確立するとき、スレーブノードｓｌａｖｅ  ｎｏｄｅはマスタノードｍａｓｔｅｒ  ｎｏｄｅへ情報（すなわち、第２種類の指示情報）を送信し、前記マスタノードがＭＡＣ  ＣＥを送信してデータ複製の制御を行う必要がないことを示すことができる。
ステップ５２では、マスタノードは制御情報（ここで、第２種類のアクティベート又はデアクティベート制御情報であってもよい）をユーザー装置に送信し、スレーブノードから送信されたＭＡＣ  ＣＥに基づいてデータ複製機能のアクティベート又はデアクティベート制御を行うことをＵＥに通知する。
【００４６】
更に、ステップ５２を完了した後、更にスレーブノードはＵＥがデータ機能のアクティベート又はデアクティベートの制御を行うように制御しもよく、具体的な処理方式については、ここで詳細な説明は省略する。
【００４７】
最後に、本実施例に説明されるデータ複製機能のアーキテクチャ全体についての説明は図６を参照してもよく、データ複製伝送方式はアップリンク／ダウンリンクに対して、パケットデータ収束プロトコル（ＰＤＣＰ：Ｐａｃｋｅｔ  Ｄａｔａ  Ｃｏｎｖｅｒｇｅｎｃｅ  Ｐｒｏｔｏｃｏｌ）層があるセルグループ（ＣＧ：Ｃｅｌｌ  Ｇｒｏｕｐ）に位置し、セルグループがマスタセルグループ（ＭＣＧ：Ｍａｓｔｅｒ  Ｃｅｌｌ  Ｇｒｏｕｐ）、セカンダリセルグループ（ＳＣＧ：Ｓｅｃｏｎｄａｒｙ  Ｃｅｌｌ  Ｇｒｏｕｐ）を含んでもよい。ＰＤＣＰはＰＤＣＰ  プロトコルデータユニット（ＰＤＵ：Ｐｒｏｔｏｃｏｌ  Ｄａｔａ  Ｕｎｉｔ）を同じ２つに複製し、２つのＰＤＣＰが異なるＣＧのＲＬＣ、ＭＡＣ、無線インターフェースを介して端末（ダウンリンク）又は基地局（アップリンク）に対応するＭＡＣ、ＲＬＣ層に到達し、最後にＰＤＣＰに収束し、ＰＤＣＰ層は２つのＰＤＣＰが同じ複製バージョンであると監視した場合、一方を廃棄するが、他方を高位層に提出する。
【００４８】
以上によれば、上記解決手段を用いることにより、第１ノードが前記第２ノードの前記ＵＥに対するデータ複製機能の制御を開始又は停止し、更にＵＥが第１ノード又は第２ノードの制御によってデータ複製機能の制御を行うように指示することができる。これにより、ＵＥ側が二重接続シーンにおいて第２ノード及び第１ノードのＭＡＣ  ＣＥを受信してデータ複製機能を制御するという問題を回避し、第２ノードと第１ノードとの間で予め協調することができ、それによりネットワーク構造における各ノードの協調性及び処理効率を向上させる。
【００４９】
実施例３
本願は第１ノードを提供し、図７に示すように、
ユーザー装置（ＵＥ）に対するデータベアラを確立するとき、命令情報を第２ノードに送信し、前記命令情報が前記第２ノードの前記ＵＥに対するデータ複製機能の制御を開始又は停止する第１通信ユニット７１と、
前記ＵＥが前記第２ノード又は第１ノードの制御情報（具体的にＭＡＣ制御要素ＣＥであってもよい）に基づいてデータ複製機能のアクティベート又はデアクティベート制御を行うことを示すことを含むアクティベート又はデアクティベート制御情報を前記ＵＥに送信する第２通信ユニット７２と、を備える。
【００５０】
なお、本実施例では、第２ノードはマスタセルグループにおける制御ノードであってもよく、第１ノードはセカンダリセルグループにおける制御ノードであってもよい。
【００５１】
具体的には、前記第１通信ユニット７１は、第２ノードが前記ＵＥに対してデータ複製機能のアクティベート又はデアクティベート制御を行うことを示すための第１種類の命令情報を前記第２ノードに送信し、
又は、
前記第１通信ユニット７１は、第２ノードが前記ＵＥに対してデータ複製機能のアクティベート又はデアクティベート制御を行わないことを示すための第２種類の命令情報を前記第２ノードに送信する。
【００５２】
すなわち、前記第２通信ユニット７２は、第２ノードへ送信した前記ＵＥに対する命令情報が第１種類の命令情報である場合、前記ＵＥが第２ノードの制御情報（具体的にＭＡＣ制御要素ＣＥであってもよい）に基づいてデータ複製機能のアクティベート又はデアクティベート制御を行うことを示すための第１種類のアクティベート又はデアクティベート制御情報を前記ＵＥに送信し、
第２ノードへ送信した前記ＵＥに対する命令情報が第２種類の命令情報である場合、前記ＵＥが前記第１ノードの制御情報（具体的にＭＡＣ制御要素ＣＥであってもよい）に基づいてデータ複製機能のアクティベート又はデアクティベート制御を行うことを示すための第２種類のアクティベート又はデアクティベート制御情報を前記ＵＥに送信する。
【００５３】
第１種類の命令情報又は第２種類の命令情報によって、第２ノード又は第１ノードのＭＡＣ  ＣＥに基づいてデータ複製機能の制御を行うことをＵＥに通知する。
【００５４】
更に、なお、ネットワークにユーザーのデータベアラを設定する前に、複数の処理過程で実施してもよく、例えば、１つのＳＣＧ  ｓｐｌｉｔ  ｂｅａｒｅｒを確立する際に本実施例に係る処理プロセスを実行してもよく、当然ながら、他の処理過程で操作してもよく、本実施例では列挙しない。
【００５５】
本実施例は以下の複数のシーンを提供することができ、以下のシーンは第１ノードをスレーブノード、第２ノードをマスタノードとする場合を例として説明するが、実際の処理では、第２ノードをスレーブノード、第１ノードをマスタノードとしてもよく、本実施例ではすべてのシーンを列挙しないと理解すべきである。
【００５６】
シーン１
図２に示すように、
スレーブノードｓｌａｖｅ  ｎｏｄｅはマスタノードｍａｓｔｅｒ  ｎｏｄｅへ情報（すなわち、第１種類の指示情報）を送信し、前記マスタノードがＭＡＣ  ＣＥを送信してデータ複製の制御を行うことを示すことができ、マスタノードは制御情報（ここで、第１種類のアクティベート又はデアクティベート制御情報であってもよい）をユーザー装置に送信し、マスタノードｍａｓｔｅｒ  ｎｏｄｅから送信されたＭＡＣ  ＣＥに基づいてデータ複製機能のアクティベート又はデアクティベート制御を行うことをＵＥに通知する。
【００５７】
更に、更にマスタノードはＵＥがデータ機能のアクティベート又はデアクティベートの制御を行うように制御してもよく、具体的な処理方式については、ここで詳細な説明は省略する。
【００５８】
シーン２
ネットワークにユーザーのデータベアラを設定する前に、例えば１つのＳＣＧ  ｓｐｌｉｔ  ｂｅａｒｅｒを確立するとき、スレーブノードｓｌａｖｅ  ｎｏｄｅの前記第１通信ユニットはマスタノードｍａｓｔｅｒ  ｎｏｄｅへ情報（すなわち、第１種類の指示情報）を送信し、前記マスタノードがＭＡＣ  ＣＥを送信してデータ複製の制御を行うことを示すことができ、
スレーブノードの第２通信ユニットは制御情報（ここで、第１種類のアクティベート又はデアクティベート制御情報であってもよい）をユーザー装置に送信し、マスタノードｍａｓｔｅｒ  ｎｏｄｅから送信されたＭＡＣ  ＣＥに基づいてデータ複製機能のアクティベート又はデアクティベート制御を行うことをＵＥに通知する。
【００５９】
更に、更にマスタノードはＵＥがデータ機能のアクティベート又はデアクティベートの制御を行うように制御してもよく、具体的な処理方式については、ここで詳細な説明は省略する。
【００６０】
シーン３
ネットワークにユーザーのデータベアラを設定する前に、例えば１つのＳＣＧ  ｓｐｌｉｔ  ｂｅａｒｅｒを確立するとき、スレーブノードｓｌａｖｅ  ｎｏｄｅの第１通信ユニットはマスタノードｍａｓｔｅｒ  ｎｏｄｅへ情報（すなわち、第２種類の指示情報）を送信し、前記マスタノードがＭＡＣ  ＣＥを送信してデータ複製の制御を行う必要がないことを示すことができ、
スレーブノードの第２通信ユニットは制御情報（ここで、第２種類のアクティベート又はデアクティベート制御情報であってもよい）をユーザー装置に送信し、スレーブノードから送信されたＭＡＣ  ＣＥに基づいてデータ複製機能のアクティベート又はデアクティベート制御を行うことをＵＥに通知する。
【００６１】
更に、更にスレーブノードの第２通信ユニットはＵＥがデータ機能のアクティベート又はデアクティベートの制御を行うように制御してもよく、具体的な処理方式については、ここで詳細な説明は省略する。
【００６２】
シーン４
ネットワークにユーザーのデータベアラを設定する前に、例えば１つのＳＣＧ  ｓｐｌｉｔ  ｂｅａｒｅｒを確立するとき、スレーブノードｓｌａｖｅ  ｎｏｄｅの第１通信ユニットはマスタノードｍａｓｔｅｒ  ｎｏｄｅへ情報（すなわち、第２種類の指示情報）を送信し、前記マスタノードがＭＡＣ  ＣＥを送信してデータ複製の制御を行う必要がないことを示すことができ、
マスタノードは制御情報（ここで、第２種類のアクティベート又はデアクティベート制御情報であってもよい）をユーザー装置に送信し、スレーブノードから送信されたＭＡＣ  ＣＥに基づいてデータ複製機能のアクティベート又はデアクティベート制御を行うことをＵＥに通知する。
【００６３】
更に、更に第１ノードの第２通信ユニットはＵＥがデータ機能のアクティベート又はデアクティベートの制御を行うように制御してもよく、具体的な処理方式については、ここで詳細な説明は省略する。
【００６４】
最後に、本実施例に説明されるデータ複製機能のアーキテクチャ全体についての説明は図６を参照してもよく、データ複製伝送方式はアップリンク／ダウンリンクに対して、パケットデータ収束プロトコル（ＰＤＣＰ：Ｐａｃｋｅｔ  Ｄａｔａ  Ｃｏｎｖｅｒｇｅｎｃｅ  Ｐｒｏｔｏｃｏｌ）層があるセルグループ（ＣＧ：Ｃｅｌｌ  Ｇｒｏｕｐ）に位置し、セルグループがマスタセルグループ（ＭＣＧ：Ｍａｓｔｅｒ  Ｃｅｌｌ  Ｇｒｏｕｐ）、セカンダリセルグループ（ＳＣＧ：Ｓｅｃｏｎｄａｒｙ  Ｃｅｌｌ  Ｇｒｏｕｐ）を含んでもよい。ＰＤＣＰはＰＤＣＰ  プロトコルデータユニット（ＰＤＵ：Ｐｒｏｔｏｃｏｌ  Ｄａｔａ  Ｕｎｉｔ）を同じ２つに複製し、２つのＰＤＣＰが異なるＣＧのＲＬＣ、ＭＡＣ、無線インターフェースを介して端末（ダウンリンク）又は基地局（アップリンク）に対応するＭＡＣ、ＲＬＣ層に到達し、最後にＰＤＣＰに収束し、ＰＤＣＰ層は２つのＰＤＣＰが同じ複製バージョンであると監視した場合、一方を廃棄するが、他方を高位層に提出する。
【００６５】
以上によれば、上記解決手段を用いることにより、第１ノードが前記第２ノードの前記ＵＥに対するデータ複製機能の制御を開始又は停止し、更にＵＥが第１ノード又は第２ノードの制御によってデータ複製機能の制御を行うように指示することができる。これにより、ＵＥ側が二重接続シーンにおいて第２ノード及び第１ノードのＭＡＣ  ＣＥを受信してデータ複製機能を制御するという問題を回避し、第２ノードと第１ノードとの間で予め協調することができ、それによりネットワーク構造における各ノードの協調性及び処理効率を向上させる。
【００６６】
実施例４
本願は第２ノードを提供し、図８に示すように、
ユーザー装置（ＵＥ）に対するデータベアラを確立するとき、第１ノードから送信された、前記第２ノードの前記ＵＥに対するデータ複製機能の制御を開始又は停止するための命令情報を受信する受信ユニット８１を備える。
【００６７】
上記実施例の第２ノード及び第１ノードの定義と同様であり、ここで詳細な説明は省略する。
【００６８】
命令情報を受信した後、前記方法は更に以下のいくつかの処理方式を含む。
【００６９】
方式１
情報送信ユニット８２は、前記第１ノードから送信された命令情報が第１種類の命令情報である場合、前記第１種類の命令情報が第２ノードが前記ＵＥに対してデータ複製機能のアクティベート又はデアクティベート制御を行うことを示すことに用いられ、
前記ＵＥが第２ノードのＭＡＣ制御要素ＣＥに基づいてデータ複製機能のアクティベート又はデアクティベート制御を行うことを示すための第１種類のアクティベート又はデアクティベート制御情報を前記ＵＥに送信する。
【００７０】
方式２
情報送信ユニット８２は、前記第１ノードから送信された命令情報が第２種類の命令情報である場合、前記第２種類の指示情報が第２ノードが前記ＵＥに対してデータ複製機能のアクティベート又はデアクティベート制御を行わないことを示すことに用いられ、
前記ＵＥが第１ノードのＭＡＣ制御要素ＣＥに基づいてデータ複製機能のアクティベート又はデアクティベート制御を行うことを示すための第２種類のアクティベート又はデアクティベート制御情報を前記ＵＥに送信する。
【００７１】
情報送信ユニットは、ＭＡＣ  ＣＥによって前記ＵＥへデータ複製機能のアクティベート又はデアクティベート制御情報を送信する。すなわち、第２ノードがＵＥのデータ複製機能を制御することを決定した後、ＵＥへデータ複製機能に対するアクティベート又はデアクティベートの具体的な制御情報を送信することができる。
【００７２】
更に、なお、本実施例におけるネットワークにユーザーのデータベアラを設定する前に、複数の処理過程で実施してもよく、例えば、１つのＳＣＧ  ｓｐｌｉｔ  ｂｅａｒｅｒを確立する際に本実施例に係る処理プロセスを実行してもよく、当然ながら、他の処理過程で操作してもよく、本実施例では列挙しない。
【００７３】
以上によれば、上記解決手段を用いることにより、第１ノードが前記第２ノードの前記ＵＥに対するデータ複製機能の制御を開始又は停止し、更にＵＥが第１ノード又は第２ノードの制御によってデータ複製機能の制御を行うように指示することができる。これにより、ＵＥ側が二重接続シーンにおいて第２ノード及び第１ノードのＭＡＣ  ＣＥを受信してデータ複製機能を制御するという問題を回避し、第２ノードと第１ノードとの間で予め協調することができ、それによりネットワーク構造における各ノードの協調性及び処理効率を向上させる。
【００７４】
本発明の実施例は更に第１ノード又は第２ノードのハードウェア構成アーキテクチャを提供し、図９に示すように、いずれも少なくとも１つのプロセッサ９１、メモリ９２、少なくとも１つのネットワークインターフェース９３を備えてもよい。各コンポーネントがバスシステム９４によって結合される。バスシステム９４がこれらのコンポーネント間の接続通信を実現することに用いられると理解される。バスシステム８４はデータバスを備えるだけでなく、更に電源バス、制御バス及び状態信号バスを備える。しかしながら、明確に説明するために、図１０では様々なバスがいずれもバスシステム９４と記される。
【００７５】
本発明の実施例では、メモリ９２は揮発性メモリ又は不揮発性メモリであってもよく、又は、揮発性メモリ及び不揮発性メモリを含んでもよいと理解される。
【００７６】
いくつかの実施形態では、メモリ９２には、オペレーティングシステム９２１及びアプリケーションプログラム９２２、実行可能モジュール又はデータ構造、又はそれらのサブセット、又はそれらの拡張セット、が記憶される。
【００７７】
前記プロセッサ９１は、ユーザー装置（ＵＥ）に対するデータベアラを確立するとき、命令情報を第２ノードに送信し、前記命令情報が前記第２ノードの前記ＵＥに対するデータ複製機能の制御を開始又は停止し、前記ＵＥが前記第２ノード又は第１ノードのＭＡＣ制御要素ＣＥに基づいてデータ複製機能のアクティベート又はデアクティベート制御を行うことを示すことを含むアクティベート又はデアクティベート制御情報を前記ＵＥに送信し、
又は、ユーザー装置（ＵＥ）に対するデータベアラを確立するとき、第１ノードから送信された、前記第２ノードの前記ＵＥに対するデータ複製機能の制御を開始又は停止するための命令情報を受信するように設定される。
【００７８】
本発明の実施例の上記装置はソフトウェア機能モジュールの形式で実現され、且つ独立した製品として販売又は使用されるとき、１つのコンピュータ可読記憶媒体に記憶されてもよい。このような理解に基づき、本発明の実施例の技術案の本質又は従来技術に貢献する部分はソフトウェア製品の形式で具現されてもよく、該コンピュータソフトウェア製品は、１台のコンピュータ装置（パーソナルコンピュータ、サーバ又はネットワーク機器等であってもよい）に本発明の各実施例に記載の方法の全部又は一部を実行させるための複数の命令を含む１つの記憶媒体に記憶される。そして、上記記憶媒体はＵＳＢメモリ、ポータブルハードディスク、読み出し専用メモリ（ＲＯＭ：Ｒｅａｄ  Ｏｎｌｙ  Ｍｅｍｏｒｙ）、磁気ディスク又は光ディスク等のプログラムコードを記憶できる様々な媒体を含む。このように、本発明の実施例はいかなる特定のハードウェア及びソフトウェアの組み合わせにも制限されない。
【００７９】
それに対応して、本発明の実施例は更にコンピュータ記憶媒体を提供し、コンピュータプログラムが記憶され、該コンピュータプログラムは本発明の実施例のデータスケジューリング方法を実行するように設定される。
【００８０】
例示のために、本発明の好適な実施例を開示したが、当業者であれば、様々な改良、追加及び置換も可能であると理解され、従って、本発明の範囲は上記実施例に限らない。
【図１】
2020533828.tif 000003
【図２】
2020533828.tif 000004
【図３】
2020533828.tif 000005
【図４】
2020533828.tif 000006
【図５】
2020533828.tif 000007
【図６】
2020533828.tif 000008
【図７】
2020533828.tif 000009
【図８】
2020533828.tif 000010
【図９】
2020533828.tif 000011
【手続補正書】
【提出日】令和2年7月16日(2020.7.16)
【手続補正１】
【補正対象書類名】明細書
【補正対象項目名】０００９
【補正方法】変更
【補正の内容】
【０００９】
本発明の実施例に係るコンピュータ記憶媒体にはコンピュータ実行可能命令が記憶され、前記コンピュータ実行可能命令が実行されるとき、本発明の実施例の制御方法を実現する。
【手続補正２】
【補正対象書類名】明細書
【補正対象項目名】００１３
【補正方法】変更
【補正の内容】
【００１３】
実施例１
本願は制御方法を提供し、第１ノードに適用され、図１に示すように、
ユーザー装置（ＵＥ）に対するデータベアラを確立するとき、命令情報を第２ノードに送信し、前記命令情報が前記第２ノードの前記ＵＥに対するデータ複製機能の制御を開始又は停止するステップ１０１と、
前記ＵＥが前記第２ノード又は第１ノードの制御情報に基づいてデータ複製機能のアクティベート又はデアクティベート制御を行うことを示すアクティベート又はデアクティベート制御情報を前記ＵＥに送信するステップ１０２と、を含む。
【手続補正３】
【補正対象書類名】明細書
【補正対象項目名】００２２
【補正方法】変更
【補正の内容】
【００２２】
更に、ステップ２２を完了した後、更にマスタノードはＵＥがデータ複製機能のアクティベート又はデアクティベートの制御を行うように制御してもよく、具体的な処理方式については、ここで詳細な説明は省略する。
【手続補正４】
【補正対象書類名】明細書
【補正対象項目名】００２４
【補正方法】変更
【補正の内容】
【００２４】
更に、ステップ３２を完了した後、更にマスタノードはＵＥがデータ複製機能のアクティベート又はデアクティベートの制御を行うように制御しもよく、具体的な処理方式については、ここで詳細な説明は省略する。
【手続補正５】
【補正対象書類名】明細書
【補正対象項目名】００２６
【補正方法】変更
【補正の内容】
【００２６】
更に、ステップ４２を完了した後、更にスレーブノードはＵＥがデータ複製機能のアクティベート又はデアクティベートの制御を行うように制御しもよく、具体的な処理方式については、ここで詳細な説明は省略する。
【手続補正６】
【補正対象書類名】明細書
【補正対象項目名】００２８
【補正方法】変更
【補正の内容】
【００２８】
更に、ステップ５２を完了した後、更にスレーブノードはＵＥがデータ複製機能のアクティベート又はデアクティベートの制御を行うように制御しもよく、具体的な処理方式については、ここで詳細な説明は省略する。
【手続補正７】
【補正対象書類名】明細書
【補正対象項目名】００２９
【補正方法】変更
【補正の内容】
【００２９】
最後に、本実施例に説明されるデータ複製機能のアーキテクチャ全体についての説明は図６を参照してもよく、データ複製伝送方式はアップリンク／ダウンリンクに対して、パケットデータ収束プロトコル（ＰＤＣＰ：Ｐａｃｋｅｔ  Ｄａｔａ  Ｃｏｎｖｅｒｇｅｎｃｅ  Ｐｒｏｔｏｃｏｌ）層があるセルグループ（ＣＧ：Ｃｅｌｌ  Ｇｒｏｕｐ）に位置し、セルグループがマスタセルグループ（ＭＣＧ：Ｍａｓｔｅｒ  Ｃｅｌｌ  Ｇｒｏｕｐ）、セカンダリセルグループ（ＳＣＧ：Ｓｅｃｏｎｄａｒｙ  Ｃｅｌｌ  Ｇｒｏｕｐ）を含んでもよい。ＰＤＣＰはＰＤＣＰ  プロトコルデータユニット（ＰＤＵ：Ｐｒｏｔｏｃｏｌ  Ｄａｔａ  Ｕｎｉｔ）を同じ２つに複製し、２つのＰＤＣＰ  ＰＤＵが異なるＣＧのＲＬＣ、ＭＡＣ、無線インターフェースを介して端末（ダウンリンク）又は基地局（アップリンク）に対応するＭＡＣ、ＲＬＣ層に到達し、最後にＰＤＣＰ層に収束し、ＰＤＣＰ層は２つのＰＤＣＰ  ＰＤＵが同じ複製バージョンであると監視した場合、一方を廃棄するが、他方を高位層に提出する。
【手続補正８】
【補正対象書類名】明細書
【補正対象項目名】００３１
【補正方法】変更
【補正の内容】
【００３１】
実施例２
本願は制御方法を提供し、第２ノードに適用され、
ユーザー装置（ＵＥ）に対するデータベアラを確立するとき、第１ノードから送信された、前記第２ノードの前記ＵＥに対するデータ複製機能の制御を開始又は停止するための命令情報を受信することを含む。
【手続補正９】
【補正対象書類名】明細書
【補正対象項目名】００４０
【補正方法】変更
【補正の内容】
【００４０】
更に、ステップ２２を完了した後、更にマスタノードはＵＥがデータ複製機能のアクティベート又はデアクティベートの制御を行うように制御してもよく、具体的な処理方式については、ここで詳細な説明は省略する。
【手続補正１０】
【補正対象書類名】明細書
【補正対象項目名】００４２
【補正方法】変更
【補正の内容】
【００４２】
更に、ステップ３２を完了した後、更にマスタノードはＵＥがデータ複製機能のアクティベート又はデアクティベートの制御を行うように制御しもよく、具体的な処理方式については、ここで詳細な説明は省略する。
【手続補正１１】
【補正対象書類名】明細書
【補正対象項目名】００４４
【補正方法】変更
【補正の内容】
【００４４】
更に、ステップ４２を完了した後、更にスレーブノードはＵＥがデータ複製機能のアクティベート又はデアクティベートの制御を行うように制御しもよく、具体的な処理方式については、ここで詳細な説明は省略する。
【手続補正１２】
【補正対象書類名】明細書
【補正対象項目名】００４６
【補正方法】変更
【補正の内容】
【００４６】
更に、ステップ５２を完了した後、更にスレーブノードはＵＥがデータ複製機能のアクティベート又はデアクティベートの制御を行うように制御しもよく、具体的な処理方式については、ここで詳細な説明は省略する。
【手続補正１３】
【補正対象書類名】明細書
【補正対象項目名】００４７
【補正方法】変更
【補正の内容】
【００４７】
最後に、本実施例に説明されるデータ複製機能のアーキテクチャ全体についての説明は図６を参照してもよく、データ複製伝送方式はアップリンク／ダウンリンクに対して、パケットデータ収束プロトコル（ＰＤＣＰ：Ｐａｃｋｅｔ  Ｄａｔａ  Ｃｏｎｖｅｒｇｅｎｃｅ  Ｐｒｏｔｏｃｏｌ）層があるセルグループ（ＣＧ：Ｃｅｌｌ  Ｇｒｏｕｐ）に位置し、セルグループがマスタセルグループ（ＭＣＧ：Ｍａｓｔｅｒ  Ｃｅｌｌ  Ｇｒｏｕｐ）、セカンダリセルグループ（ＳＣＧ：Ｓｅｃｏｎｄａｒｙ  Ｃｅｌｌ  Ｇｒｏｕｐ）を含んでもよい。ＰＤＣＰはＰＤＣＰ  プロトコルデータユニット（ＰＤＵ：Ｐｒｏｔｏｃｏｌ  Ｄａｔａ  Ｕｎｉｔ）を同じ２つに複製し、２つのＰＤＣＰ  ＰＤＵが異なるＣＧのＲＬＣ、ＭＡＣ、無線インターフェースを介して端末（ダウンリンク）又は基地局（アップリンク）に対応するＭＡＣ、ＲＬＣ層に到達し、最後にＰＤＣＰ層に収束し、ＰＤＣＰ層は２つのＰＤＣＰ  ＰＤＵが同じ複製バージョンであると監視した場合、一方を廃棄するが、他方を高位層に提出する。
【手続補正１４】
【補正対象書類名】明細書
【補正対象項目名】００５７
【補正方法】変更
【補正の内容】
【００５７】
更に、更にマスタノードはＵＥがデータ複製機能のアクティベート又はデアクティベートの制御を行うように制御してもよく、具体的な処理方式については、ここで詳細な説明は省略する。
【手続補正１５】
【補正対象書類名】明細書
【補正対象項目名】００５９
【補正方法】変更
【補正の内容】
【００５９】
更に、更にマスタノードはＵＥがデータ複製機能のアクティベート又はデアクティベートの制御を行うように制御してもよく、具体的な処理方式については、ここで詳細な説明は省略する。
【手続補正１６】
【補正対象書類名】明細書
【補正対象項目名】００６１
【補正方法】変更
【補正の内容】
【００６１】
更に、更にスレーブノードの第２通信ユニットはＵＥがデータ複製機能のアクティベート又はデアクティベートの制御を行うように制御してもよく、具体的な処理方式については、ここで詳細な説明は省略する。
【手続補正１７】
【補正対象書類名】明細書
【補正対象項目名】００６３
【補正方法】変更
【補正の内容】
【００６３】
更に、更に第１ノードの第２通信ユニットはＵＥがデータ複製機能のアクティベート又はデアクティベートの制御を行うように制御してもよく、具体的な処理方式については、ここで詳細な説明は省略する。
【手続補正１８】
【補正対象書類名】明細書
【補正対象項目名】００６４
【補正方法】変更
【補正の内容】
【００６４】
最後に、本実施例に説明されるデータ複製機能のアーキテクチャ全体についての説明は図６を参照してもよく、データ複製伝送方式はアップリンク／ダウンリンクに対して、パケットデータ収束プロトコル（ＰＤＣＰ：Ｐａｃｋｅｔ  Ｄａｔａ  Ｃｏｎｖｅｒｇｅｎｃｅ  Ｐｒｏｔｏｃｏｌ）層があるセルグループ（ＣＧ：Ｃｅｌｌ  Ｇｒｏｕｐ）に位置し、セルグループがマスタセルグループ（ＭＣＧ：Ｍａｓｔｅｒ  Ｃｅｌｌ  Ｇｒｏｕｐ）、セカンダリセルグループ（ＳＣＧ：Ｓｅｃｏｎｄａｒｙ  Ｃｅｌｌ  Ｇｒｏｕｐ）を含んでもよい。ＰＤＣＰはＰＤＣＰ  プロトコルデータユニット（ＰＤＵ：Ｐｒｏｔｏｃｏｌ  Ｄａｔａ  Ｕｎｉｔ）を同じ２つに複製し、２つのＰＤＣＰ  ＰＤＵが異なるＣＧのＲＬＣ、ＭＡＣ、無線インターフェースを介して端末（ダウンリンク）又は基地局（アップリンク）に対応するＭＡＣ、ＲＬＣ層に到達し、最後にＰＤＣＰ層に収束し、ＰＤＣＰ層は２つのＰＤＣＰ  ＰＤＵが同じ複製バージョンであると監視した場合、一方を廃棄するが、他方を高位層に提出する。
【手続補正１９】
【補正対象書類名】明細書
【補正対象項目名】００７４
【補正方法】変更
【補正の内容】
【００７４】
本発明の実施例は更に第１ノード又は第２ノードのハードウェア構成アーキテクチャを提供し、図９に示すように、いずれも少なくとも１つのプロセッサ９１、メモリ９２、少なくとも１つのネットワークインターフェース９３を備えてもよい。各コンポーネントがバスシステム９４によって結合される。バスシステム９４がこれらのコンポーネント間の接続通信を実現することに用いられると理解される。バスシステム９４はデータバスを備えるだけでなく、更に電源バス、制御バス及び状態信号バスを備える。しかしながら、明確に説明するために、図１０では様々なバスがいずれもバスシステム９４と記される。
【手続補正２０】
【補正対象書類名】明細書
【補正対象項目名】００７９
【補正方法】変更
【補正の内容】
【００７９】
それに対応して、本発明の実施例は更にコンピュータ記憶媒体を提供し、コンピュータプログラムが記憶され、該コンピュータプログラムは本発明の実施例の制御方法を実行するように設定される。
【手続補正２１】
【補正対象書類名】特許請求の範囲
【補正対象項目名】全文
【補正方法】変更
【補正の内容】
【特許請求の範囲】
【請求項１】
制御方法であって、
第１ノードに適用され、
ユーザー装置（ＵＥ）に対するデータベアラを確立するとき、命令情報を第２ノードに送信し、前記命令情報が前記第２ノードの前記ＵＥに対するデータ複製機能の制御を開始又は停止することを含む制御方法。
【請求項２】
命令情報を第２ノードに送信した後、前記方法は、更に、
前記ＵＥが前記第２ノード又は第１ノードから送信された制御情報に基づいてデータ複製機能のアクティベート又はデアクティベート制御を行うことを示すことを含むアクティベート又はデアクティベート制御情報を前記ＵＥに送信することを含む請求項１に記載の方法。
【請求項３】
制御方法であって、
第２ノードに適用され、
ユーザー装置（ＵＥ）に対するデータベアラを確立するとき、第１ノードから送信された、前記第２ノードの前記ＵＥに対するデータ複製機能の制御を開始又は停止するための命令情報を受信することを含む制御方法。
【請求項４】
前記方法は、更に、
前記第１ノードから送信された命令情報が第１種類の命令情報である場合、前記第１種類の命令情報が、第２ノードが前記ＵＥに対してデータ複製機能のアクティベート又はデアクティベート制御を行うことを示すことに用いられることと、
前記ＵＥが第２ノードの制御情報に基づいてデータ複製機能のアクティベート又はデアクティベート制御を行うことを示すための第１種類のアクティベート又はデアクティベート制御情報を前記ＵＥに送信することと、を含む請求項３に記載の方法。
【請求項５】
第１ノードであって、
ユーザー装置（ＵＥ）に対するデータベアラを確立するとき、命令情報を第２ノードに送信し、前記命令情報が前記第２ノードの前記ＵＥに対するデータ複製機能の制御を開始又は停止する第１通信ユニットを備える第１ノード。
【請求項６】
前記第１ノードは、更に、
前記ＵＥが前記第２ノード又は第１ノードから送信された制御情報に基づいてデータ複製機能のアクティベート又はデアクティベート制御を行うことを示すことを含むアクティベート又はデアクティベート制御情報を前記ＵＥに送信する第２通信ユニットを備える請求項５に記載の第１ノード。
【請求項７】
前記第１通信ユニットは、第２ノードが前記ＵＥに対してデータ複製機能のアクティベート又はデアクティベート制御を行うことを示すための第１種類の命令情報を前記第２ノードに送信し、
又は、
第２ノードが前記ＵＥに対してデータ複製機能のアクティベート又はデアクティベート制御を行わないことを示すための第２種類の命令情報を前記第２ノードに送信する請求項５に記載の第１ノード。
【請求項８】
第２通信ユニットは、第２ノードへ送信した前記ＵＥに対する命令情報が第１種類の命令情報である場合、前記ＵＥが第２ノードから送信された制御情報に基づいてデータ複製機能のアクティベート又はデアクティベート制御を行うことを示すための第１種類のアクティベート又はデアクティベート制御情報を前記ＵＥに送信し、
第２ノードへ送信した前記ＵＥに対する命令情報が第２種類の命令情報である場合、前記ＵＥが前記第１ノードから送信された制御情報に基づいてデータ複製機能のアクティベート又はデアクティベート制御を行うことを示すための第２種類のアクティベート又はデアクティベート制御情報を前記ＵＥに送信する請求項６に記載の第１ノード。
【請求項９】
前記第２通信ユニットは、前記ＵＥへデータ複製機能のアクティベート又はデアクティベート制御情報を送信する請求項８に記載の第１ノード。
【請求項１０】
第２ノードであって、
ユーザー装置（ＵＥ）に対するデータベアラを確立するとき、第１ノードから送信された、前記第２ノードの前記ＵＥに対するデータ複製機能の制御を開始又は停止するための命令情報を受信する受信ユニットを備える第２ノード。
【請求項１１】
前記第２ノードは、更に、
前記第１ノードから送信された命令情報が第１種類の命令情報である場合、前記第１種類の命令情報が、第２ノードが前記ＵＥに対してデータ複製機能のアクティベート又はデアクティベート制御を行うことを示すことに用いられ、前記ＵＥが第２ノードの制御情報に基づいてデータ複製機能のアクティベート又はデアクティベート制御を行うことを示すための第１種類のアクティベート又はデアクティベート制御情報を前記ＵＥに送信する情報送信ユニットを備える請求項１０に記載の第２ノード。
【請求項１２】
前記第２ノードは、更に、
前記第１ノードから送信された命令情報が第２種類の命令情報である場合、前記第２種類の指示情報が、第２ノードが前記ＵＥに対してデータ複製機能のアクティベート又はデアクティベート制御を行わないことを示すことに用いられ、前記ＵＥが第１ノードの制御情報に基づいてデータ複製機能のアクティベート又はデアクティベート制御を行うことを示すための第２種類のアクティベート又はデアクティベート制御情報を前記ＵＥに送信する情報送信ユニットを備える請求項１０に記載の第２ノード。
【請求項１３】
前記情報送信ユニットは前記ＵＥへデータ複製機能のアクティベート又はデアクティベート制御情報を送信する請求項１１に記載の第２ノード。
【請求項１４】
コンピュータ記憶媒体であって、
コンピュータ実行可能命令が記憶され、前記コンピュータ実行可能命令が実行されるとき、請求項１又は２に記載の方法ステップを実現するコンピュータ記憶媒体。
【請求項１５】
コンピュータ記憶媒体であって、
コンピュータ実行可能命令が記憶され、前記コンピュータ実行可能命令が実行されるとき、請求項３又は４に記載の方法ステップを実現するコンピュータ記憶媒体。
【国際調査報告】
2020533828.tif 000012
2020533828.tif 000013
2020533828.tif 000014
2020533828.tif 000015